(57)【要約】【課題】火災時に、屋内側への樹脂部分の温度上昇時間を遅くすることで、障子の框体に設けられる区画壁が溶融する時間を延ばすことができる建具を提供する。【解決手段】戸先框２３は、屋内側の框中間ホロー部Ｓ１１と屋外側の框外ホロー部Ｓ１２とに仕切る屋外側框壁部６１を有し、框中間ホロー部Ｓ１１に第一加熱発泡材Ｆ１及び第二加熱発泡材Ｆ２が配置され、框外ホロー部Ｓ１２に第三加熱発泡材Ｆ３が配置されていることを特徴とする建具。【選択図】図４
2019065494.tif 000002
【特許請求の範囲】
【請求項１】
上枠、下枠および左右の縦枠を枠組みして構成される枠体と、前記枠体内にスライド可能に配置される障子と、を備える建具であって、
前記障子は、上下框と左右の縦框を框組みしてなる框体を有し、
前記框体の少なくとも一つは、内部空間を有し、
前記框体の内部空間を屋内側空間と屋外側空間に仕切る区画壁を有し、
前記屋内側空間に内側加熱発泡材が配置され、
前記屋外側空間に外側加熱発泡材が配置されていることを特徴とする建具。
【請求項２】
前記外側加熱発泡材は、前記区画壁の屋外側面に配置されている請求項１に記載の建具。
【請求項３】
前記内側加熱発泡材と前記外側加熱発泡材とは、前記区画壁を挟んで屋内外方向に重なり合うように配置されている請求項１又は２に記載の建具。
【請求項４】
前記屋内側空間には、框芯材が配置され、
前記框芯材の前記区画壁と対向する面に前記内側加熱発泡材が配置されている請求項１乃至３のいずれか１項に記載の建具。
【請求項５】
前記框芯材は、前記区画壁に対して平行に配置される外リブを有し、
前記内側加熱発泡材は、前記外リブの両面に配置されている請求項４に記載の建具。
【発明の詳細な説明】
【技術分野】
【０００１】
本発明は、建具に関するものである。
【背景技術】
【０００２】
従来から、樹脂で障子枠や框が形成された樹脂サッシは、断熱性が高く、北海道等の寒冷地で使用されている（例えば、下記の特許文献１参照）。
このような樹脂サッシとして、上枠、下枠および左右の縦枠を枠組みして構成される枠体と、前記枠体内にスライド可能に配置される障子と、を備える建具が知られている。そして、障子は、上下框と左右の縦框を框組みしてなる框体を有し、框体の少なくとも一つは、内部空間を有し、框体の内部空間を屋内側空間と屋外側空間に仕切る区画壁を有するものがある。
【先行技術文献】
【特許文献】
【０００３】
【特許文献１】特開２０１６−４４５１９号公報
【発明の概要】
【発明が解決しようとする課題】
【０００４】
しかしながら、上述したような樹脂サッシでは、火災時に高温に晒されると、障子や枠体の樹脂部材で形成された部分が溶融する。とくに、障子における框体の内部空間を屋内外方向に区画する区画壁が溶融して破断が生じると、框がガラスの重量を支えることができなくなり、ガラスが脱落するおそれがあった。そのため、框体に設けられる区画壁を保護することが求められており、その点で改善の余地があった。
【０００５】
そこで、本発明は、上記事情に鑑みてなされたものであり、火災時に、屋内側への樹脂部分の温度上昇時間を遅くすることで、障子の框体に設けられる区画壁が溶融する時間を延ばすことができる建具を提供する。
【課題を解決するための手段】
【０００６】
上記目的を達成するために、本発明は以下の手段を採用している。
すなわち、本発明に係る建具は、上枠、下枠および左右の縦枠を枠組みして構成される枠体と、前記枠体内にスライド可能に配置される障子と、を備える建具であって、前記障子は、上下框と左右の縦框を框組みしてなる框体を有し、前記框体の少なくとも一つは、内部空間を有し、前記框体の内部空間を屋内側空間と屋外側空間に仕切る区画壁を有し、前記屋内側空間に内側加熱発泡材が配置され、前記屋外側空間に外側加熱発泡材が配置されていることを特徴としている。
【０００７】
このように構成された建具では、火災時には、障子の框体の少なくとも一つにおいて、屋内側に配置された内側加熱発泡材及び屋外側空間に配置された外側加熱発泡材がそれぞれ屋内外方向に発泡する。このように、障子の加熱発泡材が発泡することにより、区画壁の温度上昇時間を遅くする保護効果をもたせることができ、さらに加熱発泡材よりも屋内側への熱の伝達を遅らせ、樹脂部分の温度上昇時間を遅くすることができる。すなわち、障子の框体に設けられる区画壁が溶融する時間を延ばすことができ、框体で支持されるガラスが脱落することが抑制される。
そして、屋内側空間に框芯材が配置される場合には、この框芯材の温度上昇の時間を遅くすることができるため、框芯材を例えばアルミの部材で形成することが可能となり、生産性を向上させることができ、コストの低減を図ることができる。
【０００８】
また、本発明に係る建具では、前記外側加熱発泡材は、前記区画壁の屋外側面に配置されていることが好ましい。
【０００９】
この場合には、区画壁の屋外側面が直接、外側加熱発泡材によって覆われた状態となることから、区画壁の熱に対する保護効果を高めることができる。
【００１０】
また、本発明に係る建具では、前記内側加熱発泡材と前記外側加熱発泡材とは、前記区画壁を挟んで屋内外方向に重なり合うように配置されていることが好ましい。
【００１１】
このように構成された建具では、内側加熱発泡材と外側加熱発泡材との屋内外方向の重なり部分において、屋外側から屋内側への熱の伝達を効果的に遅らせることができ、樹脂部分の温度上昇時間を遅くすることができる。
【００１２】
また、本発明に係る建具では、前記屋内側空間には、框芯材が配置され、前記框芯材の前記区画壁と対向する面に前記内側加熱発泡材が配置されていることが好ましい。
【００１３】
この場合には、屋内側空間に配置される框芯材の温度上昇の時間を遅くすることができるため、框芯材を例えばアルミの部材で形成することが可能となり、生産性を向上させることができ、コストの低減を図ることができる。
【００１４】
また、本発明に係る建具では、前記框芯材は、前記区画壁に対して平行に配置される外リブを有し、前記内側加熱発泡材は、前記外リブの両面に配置されていることが好ましい。
【００１５】
このように構成された建具では、框芯材の外リブの両面に内側加熱発泡材が設けられるので、框芯材の温度上昇の時間をさらに遅くすることができる。
【発明の効果】
【００１６】
本発明に係る建具によれば、火災時に、屋内側への樹脂部分の温度上昇時間を遅くすることで、障子の框体に設けられる区画壁が溶融する時間を延ばすことができる。
【図面の簡単な説明】
【００１７】
【図１】本発明の一実施形態に係る引き違い窓を屋内側から見た正面図である。
【図２】図１のＡ−Ａ線断面図である。
【図３】図１のＢ−Ｂ線断面図である。
【図４】図３のＣ部拡大図である。
【図５】図４に示す戸先框を拡大した水平断面図である。
【発明を実施するための形態】
【００１８】
以下、本発明の一実施形態による建築物の開口部に設けられる建具の一例として、引き違い窓を図１から図５に基づいて説明する。
図１から図３に示すように、引き違い窓（建具）１００は、建築物の開口部に設けられ、四角形枠状に形成された枠体１と、枠体１に対して左右方向にスライド可能に設けられた一対の障子２と、を備えている。
【００１９】
以下の説明において、屋外側と屋内側とを結ぶ方向を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００２０】
枠体１は、左右方向に延在する上枠１１及び下枠１２と、上枠１１の両端部と下枠１２の両端部とをそれぞれ連結し上下方向に延在する一対の縦枠１３と、を有している。本実施形態では、枠体１は、合成樹脂製の押出成形部材で構成されている。上枠１１、下枠１２及び縦枠１３は、両端部が斜め４５°に切断されて、互いの切断面が突き付けられて溶着されて枠体１が構成されている。
【００２１】
一対の障子２は、枠体１の屋外側及び屋内側にそれぞれ設けられている。一対の障子２は、障子２が閉じた状態で、枠体１内を閉塞するように配置されている。障子２は、四方枠状に形成された框体２０と、框体２０内に納められた複層ガラス３０と、を有している。
【００２２】
框体２０は、左右方向に延在する上框２１及び下框２２と、上框２１の両端部と下框２２の両端部とをそれぞれ連結し上下方向に延在する戸先框２３及び召合せ框２４（なお、上框２１、下框２２、戸先框２３及び召合せ框２４のそれぞれを単に「框」と称することがある。）と、を有している。本実施形態では、框体２０は、合成樹脂製の押出成形部材で構成されている。上框２１、下框２２、戸先框２３及び召合せ框２４は、両端部が斜め４５°に切断されて、互いの切断面が突き付けられて溶着されて框体２０が構成されている。下框２２には、下枠１２に沿って左右方向に走行可能な戸車（不図示）が設けられている。
【００２３】
各框２１〜２４には、それぞれ断面略コの字状のガラス保持溝Ｇ２（図４参照）が形成されている。複層ガラス３０の四辺の端部は、ガラス保持溝Ｇ２内に嵌め込まれている。複層ガラス３０の周縁部において、屋内側の面は、框に係止された押縁３６で押さえられている（図４参照）。また、複層ガラス３０の周縁部において、屋外側の面と框との間には、ガラスパッキン３７が嵌め込まれている。
【００２４】
次に、上記の引き違い窓１００の主に縦枠１３及び障子２の戸先框２３に設けられた芯材及び加熱発泡材について説明する。図４は、図３のＣ部拡大図である。
まず、縦枠１３について説明する。
図４に示すように、縦枠１３には、中空状に形成され、上下方向にのびる縦枠ホロー部Ｓ１が形成されている。縦枠ホロー部Ｓ１は、外見込み枠壁部４１と、内見込み枠壁部４２と、屋外側区画枠壁部４３と、屋内側区画枠壁部４４（図３参照）とにより形成されている。
【００２５】
外見込み枠壁部４１は、屋内外方向に沿って配置されている。内見込み枠壁部４２は、屋内外方向に沿って配置され、外見込み枠壁部４１よりも左右方向の障子側に配置されている。屋外側区画枠壁部４３は、外見込み枠壁部４１と内見込み枠壁部４２とを連結するように配置されている。屋外側区画枠壁部４３は、左右方向に沿って配置されている。屋内側区画枠壁部４４は、外見込み枠壁部４１と内見込み枠壁部４２とを連結するように配置されている。屋内側区画枠壁部４４は、左右方向に沿って配置され、屋外側区画枠壁部４３よりも屋内側に配置されている。
【００２６】
縦枠ホロー部Ｓ１内には、枠芯材１１０が設けられている。枠芯材１１０は、水平断面略矩形状をなし、縦枠１３の延在方向（上下方向）にわたって配置されている。枠芯材１１０の左右方向の障子側には、屋外側及び屋内側に延びる延出面部１１１が設けられている（屋内側に延びる延出面部１１１は図３参照）。枠芯材１１０は、スチール等の金属により構成されている。
【００２７】
縦枠１３には、縦枠ホロー部Ｓ１よりも左右方向の障子側に、後述する障子２の戸先框２３を係合する突出部５０が設けられている。
【００２８】
突出部５０は、屋外側突出枠壁部５１と、屋内側突出枠壁部５２と、を有している。屋外側突出枠壁部５１及び屋内側突出枠壁部５２は、内見込み枠壁部４２から左右方向の障子側に延びている。屋外側突出枠壁部５１は、屋内側突出枠壁部５２よりも屋外側に配置されている。屋外側突出枠壁部５１と屋内側突出枠壁部５２とは、平行に配置されている。
【００２９】
屋外側突出枠壁部５１の左右方向の障子側と、屋内側突出枠壁部５２の左右方向の障子側とは、連結枠壁部５３により連結されている。内見込み枠壁部４２と、屋外側突出枠壁部５１と、屋内側突出枠壁部５２と、連結枠壁部５３とにより、突出部ホロー部Ｓ２が形成されている。
【００３０】
突出部ホロー部Ｓ２には、突出部芯材１２０が設けられている。突出部芯材１２０は、水平断面略コ字状をなし、屋内側に向かって開口するように配置されている。突出部芯材１２０は、縦枠１３の長さ方向（上下方向）にわたって配置されている。突出部芯材１２０は、スチール等の金属により構成されている。
【００３１】
屋外側突出枠壁部５１の左右方向の障子側の端部と、連結枠壁部５３と、屋内側突出枠壁部５２の左右方向の障子側の端部により、アタッチメント支持溝Ｇ１が形成されている。屋外側突出枠壁部５１には、屋内側に向かって突出する係止片５１ａが設けられている。屋内側突出枠壁部５２には、屋外側に向かって突出する係止片５２ａが設けられている。
【００３２】
アタッチメント支持溝Ｇ１には、突出部アタッチメント１３０が設けられている。突出部アタッチメント１３０は、縦枠１３の長さ方向（上下方向）にわたって配置されている。突出部アタッチメント１３０は、スチール等の金属により構成されている。
【００３３】
突出部アタッチメント１３０は、基部１３１と、一対の外側突出片１３２と、一対の内側突出片１３３と、を有している。基部１３１は、屋内外方向に沿って配置されている。各外側突出片１３２は、基部１３１における屋内外方向の両端部から左右方向の縦枠側に向かって突出している。各内側突出片１３３は、基部１３１における屋内外方向の両端部から左右方向の障子側に向かって突出している。
【００３４】
アタッチメント支持溝Ｇ１の係止片５１ａ，５２ａは、突出部アタッチメント１３０の外側突出片１３２と内側突出片１３３とにより挟み込まれている。これにより、突出部アタッチメント１３０は、アタッチメント支持溝Ｇ１に係止して取り付けられている。
【００３５】
取付ネジ１３６が、突出部アタッチメント１３０、縦枠１３の連結枠壁部５３、突出部芯材１２０、縦枠１３の内見込み枠壁部４２に挿通されて、枠芯材１１０の延出面部１１１に螺合されている。このようにして、金属製の突出部アタッチメント１３０、金属製の突出部芯材１２０、金属製の枠芯材１１０が連結されている。
【００３６】
次に、戸先框２３について説明する。
戸先框２３は、左右方向に沿って配置され屋外側に配置される外框壁部６６が屋外側の面をなし、左右方向に沿って配置され屋内側に配置される内框壁部６９により屋内側の面をなしている。
【００３７】
外框壁部６６と内框壁部６９との間において、中空状に形成され、上下方向に延びる框中間ホロー部Ｓ１１（内側空間）が形成されている。框中間ホロー部Ｓ１１は、屋外側框壁部（区画壁）６１と、屋内側框壁部６２と、外見込み框壁部６３と、内見込み框壁部６４とにより形成されている。ここで、屋外側框壁部６１が屋外側面となるように左右方向から見て屋外側框壁部６１、屋内側框壁部６２、外見込み框壁部６３、及び内見込み框壁部６４の樹脂材によって囲まれた框中間ホロー部Ｓ１１を形成する部分が内側中空壁部６０Ａとなる。
【００３８】
屋外側框壁部６１は、左右方向に沿って配置されている。屋内側框壁部６２は、左右方向に沿って配置され、屋外側框壁部６１よりも屋内側に配置されている。外見込み框壁部６３は、屋外側框壁部６１と屋内側框壁部６２とを連結している。外見込み框壁部６３は、屋内外方向に沿って配置されている。内見込み框壁部６４は、屋外側框壁部６１と屋内側框壁部６２とを連結している。内見込み框壁部６４は、屋内外方向に沿って配置され、外見込み框壁部６３よりも左右方向の障子側に配置されている。
【００３９】
内見込み框壁部６４の左右方向の障子側を向く面には、上下方向に延びるガラス保持溝Ｇ２が形成されるとともに、左右方向の縦枠側を向く面に沿って框中間ホロー部Ｓ１１（内部空間、屋内側空間）が形成されている。
【００４０】
屋外側框壁部６１における屋内側を向く面には、図５に示すように、第一加熱発泡材Ｆ１（内側加熱発泡材）が設けられている。第一加熱発泡材Ｆ１は、長尺状に形成され、厚さ方向（発泡する方向）を屋内外方向に向けて配置されている。第一加熱発泡材Ｆ１は、戸先框２３の延在方向（上下方向）にわたって配置されている。
【００４１】
第一加熱発泡材Ｆ１に沿って、第一框芯材１４０が設けられている。第一框芯材１４０は、戸先框２３の延在方向（上下方向）にわたって長尺状に形成されている。
【００４２】
第一框芯材１４０は、水平断面略コ字状をなし、屋内側に向かって開口するように配置されている。第一框芯材１４０は、アルミ等の金属により構成されている。第一框芯材１４０は、底面部（外リブ）１４１と、側面部１４２，１４３と、を有する。
【００４３】
底面部１４１は、屋外側框壁部６１の近傍に沿って平行に配置され、第一加熱発泡材Ｆ１における屋内側を向く面に当接するように配置されている。側面部１４２，１４３は、底面部１４１の左右方向の両端部からそれぞれ屋内側に向かって延びている。側面部１４２は、外見込み框壁部６３の左右方向の障子側を向く面に沿って配置されている。側面部１４３は、内見込み框壁部６４の左右方向の縦枠側を向く面に沿って配置されている。
【００４４】
第一框芯材１４０の底面部１４１における屋内側を向く面には、第二加熱発泡材Ｆ２（内側加熱発泡材）が設けられている。第二加熱発泡材Ｆ２は、長尺状に形成され、厚さ方向（発泡する方向）を屋内外方向に向けて配置されている。第二加熱発泡材Ｆ２は、戸先框２３の延在方向（上下方向）にわたって配置されている。
【００４５】
戸先框２３には、屋外側框壁部６１における屋外側を向く面に沿って、中空状に形成され、上下方向に延びる框外ホロー部Ｓ１２（内部空間、屋外側空間）が形成されている。框外ホロー部Ｓ１２は、屋外側框壁部６１と、外框壁部６６と、外見込み框壁部６７と、内見込み框壁部６８とにより形成されている。ここで、屋外側框壁部６１が屋内側面となるように左右方向から見て屋外側框壁部６１、外框壁部６６、外見込み框壁部６７、及び内見込み框壁部６８の樹脂材によって囲まれた框外ホロー部Ｓ１２を形成する部分が外側中空壁部６０Ｂとなる。
【００４６】
外見込み框壁部６７は、屋外側框壁部６１と外框壁部６６とを連結している。外見込み框壁部６７は、外見込み框壁部６３の屋外側の端部から屋外側に向かって延びている。内見込み框壁部６８は、屋外側框壁部６１と外框壁部６６とを連結している。内見込み框壁部６８は、内見込み框壁部６４の屋外側の端部から屋外側に向かって延びている。
【００４７】
框外ホロー部Ｓ１２において、屋外側框壁部６１における屋外側を向く面には、第三加熱発泡材Ｆ３（外側加熱発泡材）が設けられている。第三加熱発泡材Ｆ３は、長尺状に形成され、厚さ方向（発泡する方向）を屋内外方向に向けて配置されている。第三加熱発泡材Ｆ３は、戸先框２３の延在方向（上下方向）にわたって配置されている。
すなわち、框中間ホロー部Ｓ１１には、第一加熱発泡材Ｆ１が屋外側框壁部６１の屋内側を向く面に近接、又は接触させた状態で設けられている。そして、框外ホロー部Ｓ１２には、第三加熱発泡材Ｆ３が屋外側框壁部６１の屋外側を向く面に近接、又は接触させた状態で設けられている。
【００４８】
外見込み框壁部６３における左右方向の縦枠側を向く面には、上下方向に延びるレール溝Ｇ３が形成されている。
【００４９】
レール溝Ｇ３は、外見込み框壁部６３と、第一屋外側框壁部７１と、屋外側段框壁部７２と、第二屋外側框壁部７３と、第一屋内側框壁部７４と、屋内側段框壁部７５と、第二屋内側框壁部７６とにより形成されている。
【００５０】
第一屋外側框壁部７１は、屋外側框壁部６１の左右方向の縦枠側の端部から、左右方向の縦枠側に延びている。屋外側段框壁部７２は、第一屋外側框壁部７１の左右方向の縦枠側の端部から屋内側に向かって延びている。第二屋外側框壁部７３は、屋外側段框壁部７２の屋内側の端部から左右方向の縦枠側に向かって延びている。このように、外見込み框壁部６３、第一屋外側框壁部７１及び屋外側段框壁部７２により、屋外側に凹む凹部Ｇ４が形成されている。
【００５１】
第一屋内側框壁部７４は、屋内側框壁部６２の左右方向の縦枠側の端部から、左右方向の縦枠側に延びている。屋内側段框壁部７５は、第一屋内側框壁部７４の左右方向の縦枠側の端部から屋外側に向かって延びている。第二屋内側框壁部７６は、屋内側段框壁部７５の屋外側の端部から左右方向の縦枠側に向かって延びている。このように、外見込み框壁部６３、第一屋内側框壁部７４及び屋内側段框壁部７５により、屋内側に凹む凹部Ｇ５が形成されている。
【００５２】
外見込み框壁部６３における左右方向の縦枠側を向く面には、第四加熱発泡材Ｆ４が設けられている。第四加熱発泡材Ｆ４は、長尺状に形成され、厚さ方向（発泡する方向）を左右方向に向けて配置されている。
【００５３】
外見込み框壁部６３には、上下方向に離間して複数のストッパユニット８２が設けられている（図４参照）。ストッパユニット８２は、レール溝Ｇ３内に配置され、凹部Ｇ４，Ｇ５側に突出した形状をなしている。ストッパユニット８２は、縦枠１３の突出部５０に当接可能とされている。外見込み框壁部６３に設けられた加熱発泡材Ｆ４は、外見込み框壁部６３におけるストッパユニット８２が配置される箇所以外の箇所において、外見込み框壁部６３の延在方向（上下方向）にわたって配置されている。
【００５４】
第四加熱発泡材Ｆ４に沿って、第二框芯材１５０が設けられている。第二框芯材１５０は、外見込み框壁部６３におけるストッパユニット８２が配置される箇所以外の箇所において、第四加熱発泡材Ｆ４の延在方向（上下方向）にわたって配置されている。
【００５５】
框芯材１５０は、水平断面略コ字状をなし、左右方向の縦枠側に向かって開口するように配置されている。框芯材１５０は、スチール等の金属により構成されている。框芯材１５０は、底面部１５１と、一対の側面部１５２，１５３と、を有する。框芯材１５０は、第四框芯材１４０よりも薄板の鋼板で形成されている。
【００５６】
底面部１５１は、第四加熱発泡材Ｆ４における左右方向の縦枠側を向く面に当接するように配置されている。側面部１５２，１５３は、底面部１５１の屋内外方向の両端部からそれぞれ左右方向の縦枠側に向かって延びている。側面部１５２は、第一屋外側框壁部７１、屋外側段框壁部７２及び第二屋外側框壁部７３における屋内側を向く面に沿って配置されている。側面部１５２の左右方向の縦枠側の端部は、第二屋外側框壁部７３に当接している。側面部１５３は、第一屋内側框壁部７４、屋内側段框壁部７５及び第二屋内側框壁部７６における屋外側を向く面に沿って配置されている。側面部１５３の左右方向の縦枠側の端部は、第二屋内側框壁部７６に当接している。
【００５７】
框芯材１５０の底面部１５１における左右方向の縦枠側を向く面には、加熱発泡材Ｆ５が設けられている。加熱発泡材Ｆ５は、長尺状に形成され、厚さ方向（発泡する方向）を左右方向に向けて配置されている。加熱発泡材Ｆ５は、外見込み框壁部６３におけるストッパユニット８２が配置される箇所以外の箇所において、框芯材１５０の底面部１５１の延在方向（上下方向）にわたって配置されている。
【００５８】
螺子１５６が、加熱発泡材Ｆ５、框芯材１５０の底面部１５１、加熱発泡材Ｆ４及び外見込み框壁部６３に挿通され、框芯材１４０の側面部１４２に螺合されている。螺子１５６は、框芯材１５０の上下両端部近傍に設けられている。
【００５９】
レール溝Ｇ３の凹部Ｇ４には、第一屋外側框壁部７１における屋内側を向く面に当接するように加熱発泡材Ｆ６が配置されている。加熱発泡材Ｆ６は、長尺状に形成され、厚さ方向（発泡する方向）を屋内外方向に向けて配置されている。加熱発泡材Ｆ６は、第一屋外側框壁部７１におけるストッパユニット８２が配置される箇所以外の箇所において、第一屋外側框壁部７１の延在方向（上下方向）にわたって配置されている。
【００６０】
障子２が閉じられた状態において、障子２の戸先框２３に形成されたレール溝Ｇ３内には、縦枠１３の突出部５０の先端部側が挿入されている。縦枠１３の突出部アタッチメント１３０の基部１３１と、戸先框２３の框芯材１５０における側面部１５２，１５３の左右方向の縦枠側の端部とは、屋内外方向に沿う略同一平面上にある。
【００６１】
第二屋外側框壁部７３における左右方向の縦枠側の端部には、屋外側に延びる端面框壁部７７が設けられている。外框壁部６６における左右方向の縦枠側の端部には、屋内側に延びる端面框壁部７９が設けられている。端面框壁部７７の屋外側の端部と、端面框壁部７９の屋内側の端部との間は、上下方向に延びるスリットＴ１とされている。スリットＴ１には、気密材１６６が嵌め込まれている。気密材１６６の屋内側の先端部は、障子２が閉じられた状態で、突出部５０の屋外側突出枠壁部５１に当接されている。
【００６２】
第二屋内側框壁部７６における左右方向の縦枠側の端部には、屋内側に延びる端面框壁部７８が設けられている。内框壁部６９における左右方向の縦枠側の端部には、屋外側に延びる端面框壁部８０が設けられている。端面框壁部７８の屋内側の端部と、端面框壁部８０の屋外側の端部との間は、上下方向に延びるスリットＴ２とされている。スリットＴ２には、気密材１６７が嵌め込まれている。気密材１６７の屋外側の先端部は、障子２が閉じられた状態で、突出部５０の屋内側突出枠壁部５２に当接されている。
【００６３】
端面框壁部７７，７８，７９，８０は、戸先框２３における左右方向の縦枠側の端面とされている。つまり、レール溝Ｇ３は、端面框壁部（端面）７７，７８，７９，８０から左右方向の障子側に向かって凹むように形成されている。
【００６４】
次に、本実施形態による引き違い窓１００の作用について説明する。
図３及び図４に示すように、本実施形態に係る引き違い窓１００において、火災が発生した場合には、各加熱発泡材が発泡する。具体的には、第一加熱発泡材Ｆ１は屋内外方向に発泡して、戸先框２３の屋外側框壁部６１と框芯材１４０の底面部１４１との間の隙間を塞ぐ。第二加熱発泡材Ｆ２は屋内側に発泡して、戸先框２３の框中間ホロー部Ｓ１１を塞ぐ。第三加熱発泡材Ｆ３は屋外側に発泡して、戸先框２３の框外ホロー部Ｓ１２を塞ぐ。そして、第四〜第六加熱発泡材Ｆ４，Ｆ５，Ｆ６もそれぞれ発泡する。
【００６５】
このように構成された建具では、火災時には、障子２の戸先框２３において、框中間ホロー部Ｓ１１及び框外ホロー部Ｓ１２に設けられた加熱発泡材Ｆ１、Ｆ２、Ｆ３が、それぞれ屋内外方向に発泡する。このように、障子２の屋外側に設けられた加熱発泡材Ｆ１、Ｆ２、Ｆ３が発泡することにより、屋外側框壁部６１の温度上昇時間を遅くする保護効果をもたせることができ、さらに加熱発泡材Ｆ１、Ｆ２、Ｆ３よりも屋内側への熱の伝達を遅らせることで、樹脂部分の温度上昇時間を遅くすることができる。すなわち、障子２の戸先框２３に設けられる屋外側框壁部６１が溶融する時間を延ばすことができ、戸先框２３で支持されるガラスが脱落することが抑制される。
【００６６】
そして、框中間ホロー部Ｓ１１に配置される第一框芯材１４０の温度上昇の時間を遅くすることができるため、第一框芯材１４０をアルミの部材で形成することが可能となり、生産性を向上させることができ、コストの低減を図ることができる。
【００６７】
また、本実施形態では、屋外側框壁部６１の屋外側面が直接、第一加熱発泡材Ｆ１によって覆われた状態となることから、屋外側框壁部６１の熱に対する保護効果を高めることができる。
さらに、本実施形態では、第一加熱発泡材Ｆ１と、第三加熱発泡材Ｆ３とは、屋外側框壁部６１を挟んで屋内外方向に重なり合うように配置されているので、第一加熱発泡材Ｆ１と第三加熱発泡材Ｆ３との重なり部分において、屋外側から屋内側への熱の伝達を効果的に遅らせることができ、樹脂部分の温度上昇時間を遅くすることができる。
【００６８】
また、本実施形態では、第一框芯材１４０の底面部１４１が屋外側框壁部６１に対して平行に配置され、この底面部１４１の両側面に第一加熱発泡材Ｆ１と第二加熱発泡材Ｆ２が設けられているので、第一框芯材１４０の温度上昇の時間をさらに遅くすることができる。
【００６９】
以上、本発明による建具の実施形態について説明したが、本発明は上記の実施形態に限定されるものではなく、その趣旨を逸脱しない範囲で適宜変更可能である。
【００７０】
例えば、上記に示す実施形態において、第一框芯材１４０の底面部１４１の両面に第一加熱発泡材Ｆ１と第二加熱発泡材Ｆ２が設けられているが、いずれか一方であってもかまわない。
また、上記に示す実施形態において、第二框芯材１５０や、第四〜第六加熱発泡材Ｆ４〜Ｆ６等は設けられていなくてもよい。
【００７１】
なお、本実施形態では、戸先框２３に設けられる框中間ホロー部Ｓ１１及び框外ホロー部Ｓ１２の加熱発泡材を対象としているが、戸先框２３に限定されることはなく、同じ構成からなる召合せ框２４や上框２１についても、上記実施形態と同様の構成を適用することができる。
【００７２】
また、本実施形態では、第一加熱発泡材Ｆ１及び第二加熱発泡材Ｆ２と、第三加熱発泡材Ｆ３とが屋外側框壁部６１（区画壁）を挟んで屋内外方向にほぼ一致した状態で重なり合うように配置されているが、部分的に重なり合っていてもよいし、重なり合っていない状態であってもよい。
【００７３】
また、上記に示す実施形態では、枠体１及び框体２０は樹脂製であるが、本発明はこれに限られない。枠体１及び框体２０のうち少なくとも屋内外の一方側に、アルミニウム等の金属部材が設けられていてもよい。
【００７４】
さらに、本発明の枠体や框体は、内部空間が形成された押出成形部材からなる。そして、枠体及び框体の内部空間は、枠体及び框体の長手方向に沿って連続している。
【００７５】
さらにまた、框の内部空間に単体で挿入した加熱発泡材については、框の長手方向の略全長に配置されている。なお、框の溶着面付近には加熱発泡材を配置できないため、框の長手方向の両端には加熱発泡材のない部分が設けられていてもよい。
【００７６】
その他、本発明の趣旨を逸脱しない範囲で、上記した実施形態における構成要素を周知の構成要素に置き換えることは適宜可能である。
【符号の説明】
【００７７】
１…枠体
２…障子
１１…上枠
１２…下枠
１３…縦枠
２０…框体
２１…上框
２２…下框
２３…戸先框
２４…召合せ框
３０…複層ガラス
５０…突出部
６０Ａ…内側中空壁部
６０Ｂ…外側中空壁部
６１…屋外側框壁部（区画壁）
６２…屋内側框壁部
６３…外見込み框壁部
６４…内見込み框壁部
６６…外框壁部
６７…外見込み框壁部
６８…内見込み框壁部
７１…第一屋外側框壁部
７２…屋外側段框壁部
７３…第二屋外側框壁部
７４…第一屋内側框壁部
７５…屋内側段框壁部
７６…第二屋内側框壁部
７７，７８，７９，８０…端面框壁部
８２…ストッパユニット
１００…引き違い窓（建具）
１１０…枠芯材
１２０…突出部芯材
１３０…突出部アタッチメント
１４０…第一框芯材
１４１…底面部（外リブ）
１５０…第二框芯材
１５１…底面部
１５２…側面部
１５３…側面部
Ｆ１…第一加熱発泡材（内側加熱発泡材）
Ｆ２…第二加熱発泡材（内側加熱発泡材）
Ｆ３…第三加熱発泡材（外側加熱発泡材）
Ｆ４，Ｆ５，Ｆ６…加熱発泡材
Ｇ１…アタッチメント支持溝
Ｇ２…ガラス保持溝
Ｇ３…レール溝
Ｓ１…縦枠ホロー部
Ｓ２…突出部ホロー部
Ｓ１１…框中間ホロー部（内部空間、屋内側空間）
Ｓ１２…框外ホロー部（内部空間、屋外側空間）
【図１】
2019065494.tif 000003
【図２】
2019065494.tif 000004
【図３】
2019065494.tif 000005
【図４】
2019065494.tif 000006
【図５】
2019065494.tif 000007